(57)【要約】【課題】縦置き型でフィルタの汚れの質や程度等によって乾式による清掃または湿式による洗浄の両方式を選択的に採用してフィルタのクリーンアップを行うことができるフィルタクリーナを提供する。【解決手段】フィルタクリーナ（Ｃ）は、上部にフィルタ（Ｆ）を出し入れする出入口（１０）を有するケーシング（１）と、ケーシング（１）内で昇降するフィルタ受体（４）と、出入口（１０）とフィルタ受体（４）の間に設けられているブラシ体（２）と、洗浄液をフィルタ（Ｆ）に噴射する噴射ノズル（３）と、排液部（１６）と、ケーシング（１）内の空気を吸引する吸引装置を接続可能な吸引口（７）とを備えている。ブラシ体（２）は開閉蓋（１２）に設けられ、開蓋時の開閉蓋（１２）の移動によってブラシ体（２）がケーシング（１）外部に現れるようにしてある。フィルタ受体（４）には上昇方向に移動するバランスウエイトが作用させてある。ブラシ体（２）のブラシ（２２）が触れる位置には電熱ヒータ（９１）を備えている。【選択図】　　　　図２
2004121935.tif 000002
【特許請求の範囲】
【請求項１】
上部にフィルタ（Ｆ）を出し入れする出入口（１０）を有するケーシング（１）と、
ケーシング（１）内に昇降可能に設けられているフィルタ受体（４）と、
フィルタ受体（４）を上下方向に昇降させる昇降駆動部（６）と、
出入口（１０）から入ったフィルタ（Ｆ）の表面を擦って汚れを取り除くブラシ体（２）と、
出入口（１０）から入ったフィルタ（Ｆ）に洗浄液を噴射する噴射ノズル（３）と、
ケーシング（１）内の洗浄液を外部へ排出する排液部（１６）と、
ケーシング（１）内の空気を吸引する吸引装置を接続可能な吸引口（７）と、
を備えていることを特徴とする、
フィルタクリーナ。
【請求項２】
ケーシング（１）の上部側には開閉蓋（１２）が設けられており、開閉蓋（１２）にはブラシ体（２）が設けられ、開蓋時の開閉蓋（１２）の移動によってブラシ体（２）がケーシング（１）外部に現れるようにしてあることを特徴とする、
請求項１記載のフィルタクリーナ。
【請求項３】
フィルタ受体（４）を昇降させる昇降駆動部（６）に、上昇方向に作用するバランスウエイトを備えていることを特徴とする、
請求項１または２記載のフィルタクリーナ。
【請求項４】
ブラシ体（２）の近傍またはブラシ体（２）のブラシ（２２）が触れる位置に加温手段（９１）を備えていることを特徴とする、
請求項１、２または３記載のフィルタクリーナ。
【発明の詳細な説明】
【０００１】
【発明の属する技術分野】
本発明は、例えば空気調和機（エアコンディショナ）のフィルタを清掃または洗浄するフィルタクリーナ（フィルタ掃除機）に関するものである。
更に詳しくは、縦置き型で設置面積を小さくすることができ、使用する箇所まで移動させることができるものに関する。また、フィルタの汚れの質や程度、あるいはフィルタクリーナを設置する場所の環境等によって、フィルタのクリーンアップ（掃除）を乾式による清掃または湿式による洗浄の両方式を選択的に採用して行うことができるものに関する。
【０００２】
【従来技術】
事業所等で導入されている空気調和機は比較的規模の大きなものであり、各部屋ごとに複数の吹出口と吸引口がある。吸引口にはフィルタが設けてあり、空気調和機内部をできるだけ汚さないようにしている。このフィルタが目詰まりを起こしたり汚れたりして吸気効率が悪くなると、モーターにかかる負荷が大きくなり無駄なエネルギーを消費してしまう。
【０００３】
空気調和機を無駄なエネルギーを消費することなく運転するには、フィルタの汚れが進まない程度の期間を設定して定期的にクリーンアップを行う必要がある。フィルタをクリーンアップする装置は、従来より様々なものが提案されている（例えば、特許文献１参照）。
【０００４】
【特許文献１】
特開平５−４９８２６号公報
【０００５】
特許文献１記載のフィルタ洗浄装置は、フィルタを搬送部によって水平方向（横方向）に送りながら、搬送前工程で回転ブラシによる乾式清掃を行い、搬送後工程で洗浄液の吹き付けと回転ブラシによって湿式洗浄を行う構造である。
【０００６】
【発明が解決しようとする課題】
しかしながら、上記した特許文献１に開示された従来のフィルタ洗浄装置には、次のような課題があった。
すなわち、フィルタを水平方向に送りながら洗浄する構造で、しかも乾式清掃部と湿式洗浄部を工程に沿って並列させて設けているので、装置が横方向に大型化してしまう。このため、この装置を設置するためには広い面積を確保しておく必要があり、また装置を必要に応じて移動させることも困難であった。
【０００７】
（本発明の目的）
本発明の目的は、縦置き型で設置面積を小さくすることができ、使用する箇所まで移動させることができるフィルタクリーナを提供することである。
更に本発明の他の目的は、フィルタの汚れの質や程度、あるいはフィルタクリーナを設置する場所の環境等によって、乾式による清掃または湿式による洗浄の両方式を選択的に採用してフィルタのクリーンアップを行うことができるフィルタクリーナを提供することである。
【０００８】
【課題を解決するための手段】
上記課題を解決するために講じた本発明の手段は次のとおりである。
第１の発明にあっては、
上部にフィルタを出し入れする出入口を有するケーシングと、
ケーシング内に昇降可能に設けられているフィルタ受体と、
フィルタ受体を上下方向に昇降させる昇降駆動部と、
出入口から入ったフィルタの表面を擦って汚れを取り除くブラシ体と、
出入口から入ったフィルタに洗浄液を噴射する噴射ノズルと、
ケーシング内の洗浄液を外部へ排出する排液部と、
ケーシング内の空気を吸引する吸引装置を接続可能な吸引口と、
を備えていることを特徴とする、
フィルタクリーナである。
【０００９】
第２の発明にあっては、
ケーシングの上部側には開閉蓋が設けられており、開閉蓋にはブラシ体が設けられ、開蓋時の開閉蓋の移動によってブラシ体がケーシング外部に現れるようにしてあることを特徴とする、
第１の発明に係るフィルタクリーナである。
【００１０】
第３の発明にあっては、
フィルタ受体を昇降させる昇降駆動部に、上昇方向に作用するバランスウエイトを備えていることを特徴とする、
第１または第２の発明に係るフィルタクリーナである。
【００１１】
第４の発明にあっては、
ブラシ体の近傍またはブラシ体のブラシが触れる位置に加温手段を備えていることを特徴とする、
第１、第２または第３の発明に係るフィルタクリーナである。
【００１２】
（作用）
本発明に係るフィルタクリーナは次のように作用する。
フィルタクリーナでは、乾式による清掃または湿式による洗浄の両方式を選択的に採用してフィルタのクリーンアップを行うことができる。
乾式によるフィルタの清掃は次のように行われる。
吸引口に電気掃除機等の吸引装置を接続してケーシング内の空気の吸引をするとともにブラシ体をモータ等により回転させる。フィルタ受体は、最上部まで上昇させておく。
【００１３】
ケーシングの上部に設けてある出入口からフィルタを入れる。フィルタは回転しているブラシ体のブラシで下方向へ擦られて汚れが取り除かれる。また、これによりフィルタは下方にあるフィルタ受体に押し付けられ安定する。なお、フィルタ受体は、フィルタを載置して受ける構造である場合もあるし、フィルタを取り外し可能に固定または保持して受ける構造である場合もある。
昇降駆動部によってフィルタ受体を下降させると、フィルタもフィルタ受体に押し付けられ安定した状態を保ったまま下降し、あらかじめ決められている下降高さまで下降することによりフィルタ全体がブラシ体で擦られて乾式清掃される。
【００１４】
フィルタから取り除かれた塵埃等はケーシング内底部に落下したり内部に浮遊したりするが、浮遊しているものは吸引装置によって吸引口から吸引されて外部へ排出され、ケーシング内に充満して外部へ漏れたりすることはない。また、ケーシング内底部に落ちたものは後でまとめて取り除かれる。
【００１５】
湿式によるフィルタの洗浄は次のように行われる。
噴射ノズルから洗浄液（水または洗剤を含む水等）を噴射するとともにブラシ体をモータ等により回転させる。フィルタ受体は、最上部まで上昇させておく。ケーシングの上部に設けてある出入口からフィルタを入れる。フィルタの汚れは噴射している洗浄液で大部分が取り除かれ、回転しているブラシ体のブラシで下方向へ擦られて更に汚れが取り除かれる。また、これによりフィルタは下方にあるフィルタ受体に押し付けられ安定する。
【００１６】
昇降駆動部によってフィルタ受体を下降させると、フィルタもフィルタ受体に押し付けられ安定した状態を保ったまま下降し、あらかじめ決められている下降高さまで下降することによりフィルタ全体が洗浄液の噴射とブラシ体で擦られることによって湿式洗浄清掃される。
フィルタから取り除かれた塵埃等は洗浄液と混ざってケーシング内底部に落ちて排液部からケーシング外部へ排出される。
【００１７】
フィルタクリーナは、フィルタ受体が上下方向に昇降し、フィルタも同様に上下方向に昇降しながら清掃または洗浄される構造であるので、フィルタを横方向に送りながら洗浄する従来の装置と相違して、横方向の大きさをコンパクトにすることが可能になり、設置面積（設置のための占有面積）を小さくすることができる。また、装置がコンパクトであるため、使用する箇所まで移動させることも可能になり、更には設置面積が小さいので設置場所の自由度が高く、設置場所に困ることもない。
【００１８】
ケーシングの上部側には開閉蓋が設けられており、開閉蓋にはブラシ体が設けられ、開蓋時の開閉蓋の移動によってブラシ体がケーシング外部に現れるようにしてあるものは、ブラシ体のブラシが汚れたりブラシに異物が付着したりした場合に清掃がしやすい。また、ブラシが摩滅してブラシ体の交換が必要になったときも交換作業がしやすい。
【００１９】
フィルタ受体を昇降させる昇降駆動部に、上昇方向に作用するバランスウエイトを備えているものは、フィルタ受体及びそれにより受けられるフィルタの重さを相殺してバランスをとることにより、フィルタ受体の昇降させるために要する力（操作力）を軽減できる。また、バランスウエイトを用いない場合と相違して急激な下降の心配がないので、安全性が高い。
【００２０】
ブラシ体の近傍またはブラシ体のブラシが触れる位置に加温手段を備えているものは、湿式洗浄の終了後にブラシ体を乾かすときに水分の蒸発を助けることができるので、洗浄後のフィルタの表面に残っている水滴を、乾いたブラシ体で擦りながら短時間で除去できる。
【００２１】
【発明の実施の形態】
本発明を図面に示した実施の形態に基づき更に詳細に説明する。
図１は本発明に係るフィルタ洗浄装置の一実施の形態を示す斜視図、
図２は図１に示すフィルタ洗浄装置の厚み方向縦断面図（図３におけるＡ−Ａ位置に対応）、
図３は図１に示すフィルタ洗浄装置の幅方向縦断面図（図２におけるＢ−Ｂ位置に対応）、
図４はブラシ体の構造を示す概略斜視図、
図５は上蓋を回動させて開いた状態を示す断面図である。
【００２２】
フィルタクリーナＣは、箱状で金属製のケーシング１を有している。ケーシング１の底部の四隅にはキャスタ１００が設けてある。
ケーシング１の上部には、ヒンジ１１を介し外方向へ回動して開くことができる開閉蓋１２が設けてある（図５参照）。開閉蓋１２の上面側には、ほぼ全幅にわたり出入口１０が設けてある。出入口１０を挟む両側部分は内方へ向け下り傾斜して設けてある。開閉蓋１２の内部側には、後で説明するブラシ体２を着脱することができる回転軸１３が軸受１４によって水平方向に軸支してある。
回転軸１３の一端側（軸受１４の外側）にはギヤ１３０が設けてある。開閉蓋１２を閉めた状態において、ギヤ１３０は、ケーシング１の上部の側部に取り付けてあるモーターＭの回転軸に設けてあるギヤ１３１と噛み合うようにしてある。
【００２３】
回転軸１３には、ブラシ体２が着脱可能に取り付けてある。ブラシ体２は金属製の芯体２０を有し、芯体２０の中心部には回転軸１３に嵌め込むための軸孔２１が長手方向に貫通して設けてある。芯体２０の外周面には、合成樹脂製のブラシ２２が設けてある。なお、ブラシ２２は、獣毛等の天然材料でつくったものを採用することもできる。
ブラシ２２の各線材は芯体２０に放射方向に設けられ、かつ植設部が螺旋を描くように設けてある。なお、その螺旋方向は、芯体２０の長手方向の中間部で逆方向になっており、ブラシ２２を回転させることで螺旋の推力を受けフィルタＦが左右いずれかの方向に移動して押し付けられることを防止している。
【００２４】
ブラシ体２のブラシ２２が触れる位置（回転軸１３の下方側でブラシ２２の先端部からその長さの約１／３の位置）に加温手段である棒状の電熱ヒータ９１を備えている。電熱ヒータ９１は、回転軸１３と平行に設けてあり、ブラシ２２の植設長さより長く形成されており、回転により全部のブラシ２２が触れるようなっている。ブラシ体２のブラシ２２は耐熱樹脂で形成されている。
【００２５】
電熱ヒータ９１によれば、湿式洗浄の終了後にブラシ体２を乾かすときに水分の蒸発を助けることができ、更に電熱ヒータ９１に当たることにより水切れもよくなるので、ブラシ体２を短時間で乾燥させることができる。また、洗浄後のフィルタの表面に残っている水滴を、乾いたブラシ体で擦りながら短時間で除去できる。
なお、電熱ヒータ９１の表面温度は例えば５０℃〜２００℃の範囲で設定されるが、これに限定するものではない。また、ブラシ２２は上記したように耐熱樹脂製であるので、使用中に溶けたり変形してしまうことはない。
【００２６】
また、ブラシ体２のブラシ２２がフィルタＦに触れる位置よりブラシ体２の回転方向上手側には、ブラシ２２に触れる棒状の邪魔部材９２が設けられている。邪魔部材９２はブラシ２２の植設長さより長く形成されており、回転により全部のブラシ２２が触れるようなっている。また、ブラシ体２の回転時にはブラシ２２が邪魔部材９２で弾かれてフィルタＦに触れるようにしてある。
これによって、フィルタＦの表面をブラシ２２によってより強い力で擦ることができるので、汚れを確実に取り除くことができる。
【００２７】
ケーシング１内部のうち、ブラシ体２と相対抗する側には、ブラシ体２側へ向け噴射ノズル３が複数箇所（本実施の形態では７箇所）に設けてある。各噴射ノズル３はケーシング１の幅方向へ水平に等間隔で設けてあり、噴射方向も水平に直進するように設けてある。また、噴射水が扇型または円錐形に拡散するようなノズル構造としてもよい。
なお、各噴射ノズル３の高さは、ブラシ体２のブラシ２２がフィルタＦに触れる位置よりやや高く設定してあり、湿式洗浄の場合においては、フィルタＦをまず洗浄液で濡らしてからブラシ２２で擦るようにしてある。また、符号３０は送液用のホースであり、例えば水道等につながれて水道水等の洗浄液を噴射ノズル３へ送るものである。
【００２８】
ケーシング１の内部において、ケーシング１の厚み方向のほぼ中間部には、クリーンアップするフィルタを受けるフィルタ受体４があらかじめ設定された範囲で上下方向に昇降できるように設けてある。
フィルタ受体４は、水平方向に設けられる受部材４０と、その両端部に垂直方向に設けてある側部材４１を備えている。各側部材４１の外面側にはローラ４２、４３が縦方向に設けてある。ローラ４２、４３の外周部は各側部材４１からやや張り出すように設けてある。
【００２９】
フィルタ受体４は、案内部５により案内されて昇降する。案内部５は、ケーシング１の厚み方向に所定間隔をおいて平行に設けられた案内板５０、５１により構成されている。
一方の案内板５１の上部側には、吸引装置の吸引ホース（いずれも図示省略）を接続するための吸引口７がケーシング１の幅方向に所要間隔をおいて二箇所に設けてある。ケーシング１の側壁板１８には、各吸引口７の接続部７０に対応して開口部１９が設けてあり、吸引ホースが外部側から接続できるようにしている。
また、他方の案内板５０（図２において左側）には、表裏面を貫通した案内スリット５２が横方向へ所要間隔をおいて二箇所に設けてある。各案内スリット５２は垂直方向に、かつ互いに平行に設けてある。
【００３０】
フィルタ受体４は、各案内スリット５２に対応して二箇所にチェーン６３の端部を取り付けるための取付片４４を有している。フィルタ受体４は、各取付片４４を各案内スリット５２に内側から外側へ挿通させて案内板５０、５１の間に昇降可能に収容してある。なお、案内板５０、５１の内面にはローラ４２、４３が接触するようになっており、フィルタ受体４は円滑な昇降が可能である。フィルタ受体４は、次に説明するように昇降駆動部６によってチェーンで吊られた状態で昇降する。
【００３１】
昇降駆動部６は、ケーシング１にブラシ体２の軸線方向と平行に軸支された回転軸６０を有している。回転軸６０のケーシング１外部側には手操作用のハンドル６１が設けてある。回転軸６０のうちケーシング１内部側の両側二箇所には、スプロケット６２がそれぞれ固着して設けてある。
【００３２】
そして、各スプロケット６２にはチェーン６３が巻き掛けられている。各チェーン６３の一端部はフィルタ受体４の取付片４４に取り付けてあり、他端部は金属製で板状のバランスウェイト６４に取り付けてある。これにより、フィルタ受体４は、自身の重さで急激に下降することのない状態でチェーン６３で水平に吊られている。
フィルタ受体４とバランスウェイト６４の重量バランスは、バランスウェイト６４の方がやや重くなるように設定してあり、常態ではフィルタ受体４が上昇して待機状態となるようにしてある。なお、各チェーン６３の長さは、フィルタ受体４が待機位置にあるときに、バランスウェイト６４がケーシング１の底板１５よりやや上方に位置するよう設定してある。
【００３３】
ケーシング１のうちバランスウェイト６４がある側の側壁板１７には、フィルタ受体４の最大下降時の高さが調整可能な高さ調整具８を備えている。高さ調整具８は、側壁板１７に垂直方向に設けてある案内スリット１７０に移動可能に取り付けてあり、案内スリット１７０の任意の位置に固定できる構造である。
高さ調整具８は、ケーシング１内部側に水平方向に係止ピン８０を有しており、フィルタ受体４は、係止ピン８０にバランスウェイト６４が下方から当たることにより下降が停止する。すなわち、高さ調整具８の位置を調整することにより、フィルタの大きさに合わせたフィルタ受体４の最大下降高さの設定が可能である。
【００３４】
なお、ケーシング１の底板１５には、排液部である排液管１６が貫通して設けてある。排液管１６には、例えば手洗いやキッチンの排水管（図示省略）に接続する排水管が接続されて外部へ排水される。
【００３５】
（作　用）
図６は洗浄するフィルタの一般的構造を示す断面説明図、
図７はフィルタを洗浄する方法を示し、フィルタを最下部まで降ろした状態の断面説明図、
図８はフィルタに洗浄液を噴射している状態の説明図、
図９はフィルタを乾式で清掃する方法を示し、フィルタを最下部まで降ろした状態の断面説明図である。
図１ないし図９を参照して、本実施の形態に係るフィルタ洗浄装置の作用を説明する。
【００３６】
フィルタクリーナＣでは、フィルタＦのクリーンアップを乾式による清掃または湿式による洗浄の両方式のいずれかを選択的に採用して行うことができる。
（乾式によるフィルタＦの清掃）
フィルタＦがそれ程汚れていないときは通常乾式による清掃を行うが、後で説明する湿式による洗浄を行ってもよい。
吸引口７の接続部７０に電気掃除機の吸引ホースを接続してケーシング１内の空気の吸引をするとともにブラシ体２をモータＭにより回転させる。ブラシ体２はフィルタＦをブラシ２２で下方へ擦る方向へ回転する。また、フィルタ受体４は、待機位置まで上昇させておく。
更に、高さ調整具８の高さをクリーンアップするフィルタＦの大きさに合わせて調整し、フィルタ受体４が最大下降高さまで降りたときには、フィルタＦがブラシ体２を通過しているように設定しておく。
【００３７】
ケーシング１の上部に設けてある出入口１０からフィルタＦを入れる。フィルタＦは回転しているブラシ体２のブラシ２２で下方向へ擦られて引き込まれ、これによりフィルタＦは下方にあるフィルタ受体４の受部材４０に押し付けられ安定する。また、ブラシ２２によってフィルタＦの汚れ（塵埃を含む）が取り除かれる。
【００３８】
ハンドル６１を手操作して回転軸６０を回転させ、チェーン６３を動かしてフィルタ受体４を下降させると、フィルタＦもフィルタ受体４に押し付けられ安定した状態を保ったまま下降し、高さ調整具８によってあらかじめ決められている下降高さまで下降する。これにより、フィルタＦ全体がブラシ体２のブラシ２２で擦られて乾式清掃される。
【００３９】
フィルタＦから取り除かれた塵埃等はケーシング１の底板１５上に落下したりケーシング１の内部空間部に浮遊したりするが、浮遊しているものは吸引装置によって吸引口７から吸引されて外部へ排出され、ケーシング１内に充満して外部へ漏れたりすることはない。また、ケーシング１の底板１５上に落ちたものは後でまとめて取り除かれる。
【００４０】
（湿式によるフィルタの洗浄）
フィルタＦの汚れがひどいときには、通常湿式による洗浄を行う。
送液ホース３０を水道につなぎ噴射ノズル３から洗浄液（水または洗剤を含む水等）を噴射するとともにブラシ体２をモータＭにより回転させる。ブラシ体２はフィルタＦをブラシ２２で下方へ擦る方向へ回転する。また、フィルタ受体４は、待機位置まで上昇させておく。
更に、高さ調整具８の高さをクリーンアップするフィルタＦの大きさに合わせて調整し、フィルタ受体４が最大下降高さまで降りたときには、フィルタＦがブラシ体２を通過しているように設定しておく。これにより、フィルタＦ全体の清掃または洗浄が可能となり、フィルタＦに一部汚れた部分が残ることを防止できる。
【００４１】
ケーシング１の上部に設けてある出入口１０からフィルタＦを入れる。フィルタＦの汚れは噴射ノズル３から噴射されている洗浄液の水圧で大部分が取り除かれ、フィルタＦは回転しているブラシ体２のブラシ２２で下方向へ擦られて引き込まれ、これによりフィルタＦは下方にあるフィルタ受体４の受部材４０に押し付けられ安定する。また、ブラシ２２によってフィルタＦの汚れが更に取り除かれる。
【００４２】
ハンドル６１を手操作して回転軸６０を回転させ、チェーン６３を動かしてフィルタ受体４を下降させると、フィルタＦもフィルタ受体４に押し付けられ安定した状態を保ったまま下降し、高さ調整具８によってあらかじめ決められている下降高さまで下降する。これにより、フィルタＦ全体が洗浄液の噴射とブラシ体で擦られることによって湿式洗浄される。
【００４３】
フィルタＦから取り除かれた塵埃等は洗浄液と混ざってケーシング１の底板１５上に落ちて排液管１６からケーシング１外部へ排出される。
【００４４】
なお、ブラシ体２のブラシ２２が汚れたりブラシ２２に異物が付着したりした場合には、開閉蓋１２を開けてブラシ体２がケーシング１外部に現れるようにすれば、清掃がしやすい。また、ブラシ２２が摩滅してブラシ体２の交換が必要になったときも交換作業がしやすい。
【００４５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４６】
【発明の効果】
本発明は上記構成を備え、次の効果を有する。
（ａ）フィルタクリーナは、フィルタ受体が上下方向に昇降し、フィルタも同様に上下方向に昇降しながら清掃または洗浄される構造であるので、フィルタを横方向に送りながら洗浄する従来の装置と相違して、横方向の大きさをコンパクトにすることが可能になり、設置面積（設置のための占有面積）を小さくすることができる。また、装置がコンパクトであるため、使用する箇所まで移動させることも可能になり、更には設置面積が小さいので設置場所の自由度が高く、設置場所に困ることもない。
【００４７】
（ｂ）フィルタクリーナは、フィルタの汚れの質や程度、あるいはフィルタクリーナを設置する場所の環境等によって、乾式による清掃または湿式による洗浄の両方式を選択的に採用してフィルタのクリーンアップを行うことができる。
【００４８】
（ｃ）ケーシングの上部側には開閉蓋が設けられており、開閉蓋にはブラシ体が設けられ、開蓋時の開閉蓋の移動によってブラシ体がケーシング外部に現れるようにしてあるものは、ブラシ体のブラシが汚れたりブラシに異物が付着したりした場合に清掃がしやすい。また、ブラシが摩滅してブラシ体の交換が必要になったときも交換作業がしやすい。
【００４９】
（ｄ）フィルタ受体を昇降させる昇降駆動部に、上昇方向に作用するバランスウエイトを備えているものは、フィルタ受体及びそれにより受けられるフィルタの重さを相殺してバランスをとることにより、フィルタ受体の昇降させるために要する力（操作力）を軽減できる。また、バランスウエイトを用いない場合と相違して急激な下降の心配がないので、安全性が高い。
【００５０】
（ｅ）ブラシ体の近傍またはブラシ体のブラシが触れる位置に加温手段を備えているものは、湿式洗浄の終了後にブラシ体を乾かすときに水分の蒸発を助けることができるので、洗浄後のフィルタの表面に残っている水滴を、乾いたブラシ体で擦りながら短時間で除去できる。
【図面の簡単な説明】
【図１】本発明に係るフィルタ洗浄装置の一実施の形態を示す斜視図。
【図２】図１に示すフィルタ洗浄装置の厚み方向縦断面図（図３におけるＡ−Ａ位置に対応）。
【図３】図１に示すフィルタ洗浄装置の幅方向縦断面図（図２におけるＢ−Ｂ位置に対応）。
【図４】ブラシ体の構造を示す概略斜視図。
【図５】上蓋を回動させて開いた状態を示す断面図。
【図６】洗浄するフィルタの一般的構造を示す断面説明図。
【図７】フィルタを洗浄する方法を示し、フィルタを最下部まで降ろした状態の断面説明図。
【図８】フィルタに洗浄液を噴射している状態の説明図。
【図９】フィルタを乾式で清掃する方法を示し、フィルタを最下部まで降ろした状態の断面説明図
【符号の説明】
Ｃ　フィルタクリーナ
１　ケーシング
１００　キャスタ
１０　出入口
１１　ヒンジ
１２　開閉蓋
１３　回転軸
１３０　ギヤ
１４　軸受
１５　底板
１６　排液管
１７　側壁板
１７０　案内スリット
１８　側壁板
１９　開口部
Ｍ　モータ
１３１　ギヤ
２　ブラシ体
２０　芯体
２１　軸孔
２２　ブラシ
３　噴射ノズル
３０　送液ホース
４　フィルタ受体
４０　受部材
４１　側部材
４２、４３　ローラ
４４　取付片
５　案内部
５０、５１　案内板
５２　案内スリット
６　昇降駆動部
６０　回転軸
６１　ハンドル
６２　スプロケット
６３　チェーン
６４　バランスウェイト
７　吸引口
７０　接続部
８　高さ調整具
８０　係止ピン
９１　電熱ヒータ
９２　邪魔部材
【図１】
2004121935.tif 000003
【図２】
2004121935.tif 000004
【図３】
2004121935.tif 000005
【図４】
2004121935.tif 000006
【図５】
2004121935.tif 000007
【図６】
2004121935.tif 000008
【図７】
2004121935.tif 000009
【図８】
2004121935.tif 000010
【図９】
2004121935.tif 000011